【手続補正書】
【提出日】平成15年12月18日(2003.12.18)
【手続補正１】
【補正対象書類名】明細書
【補正対象項目名】特許請求の範囲
【補正方法】変更
【補正の内容】
【特許請求の範囲】
【請求項１】
通信装置と、該通信装置とインターネットを介したデータ通信を行う仲介装置とから構成される通信システムにおける初期通信環境のカストマイズ方法であって、
前記仲介装置が、
前記通信装置が接続されると、初期通信環境に関するデータを生成する際に必要となる所定の情報を記憶した情報記憶手段に基づいて該通信装置の初期通信環境に関するデータを生成するカストマイズステップ
を実行することを特徴とする初期通信環境のカストマイズ方法。
【請求項２】
前記仲介装置は、
前記通信装置が接続されると、該通信装置とシステム情報の授受を行う仲介装置会話ステップと、
前記仲介装置会話ステップで授受を行ったシステム情報に基づき前記情報記憶手段から所定の情報を検索して抽出する検索ステップと
を更に実行し、
前記カストマイズステップは、
前記検索ステップで抽出した所定の情報に基づき前記通信装置の初期通信環境に関するデータを生成することを特徴とする請求項１記載の初期通信環境のカストマイズ方法。
【請求項３】
前記カストマイズステップは、
前記通信端末での、初期通信環境をカストマイズするための特定のボタンの利用者の押下に基づいて該通信装置が接続されると、初期通信環境に関するデータを生成する際に必要となる所定の情報を記憶した情報記憶手段に基づいて該通信装置の初期通信環境に関するデータを生成することを特徴とする請求項１記載の初期通信環境のカストマイズ方法。
【請求項４】
前記通信装置が、
前記仲介装置に接続し、該仲介装置の前記カストマイズステップで生成した初期通信環境に関するデータをダウンロードする通信装置ダウンロードステップと、
前記通信装置ダウンロードステップでダウンロードした初期通信環境に関するデータを通信装置内に自動的に設定するデータ設定ステップと
を更に実行することを特徴とする請求項１記載の初期通信環境のカストマイズ方法。
【請求項５】
通信装置と、該通信装置とインターネットを介したデータ通信を行う仲介装置とから構成される通信システムにおける初期通信環境のカストマイズ方法であって、
前記通信装置が、
前記仲介装置に接続し、該仲介装置における、前記通信装置の接続に応じて初期通信環境に関するデータを生成する際に必要となる所定の情報を記憶した情報記憶手段に基づいて該通信装置の初期通信環境に関するデータを生成するカストマイズステップで生成された、初期通信環境に関するデータをダウンロードする通信装置ダウンロードステップと、
前記通信装置ダウンロードステップでダウンロードした初期通信環境に関するデータを通信装置内に自動的に設定するデータ設定ステップと
を実行することを特徴とする初期通信環境のカストマイズ方法。
【請求項６】
通信装置と、該通信装置とインターネットを介したデータ通信を行う仲介装置とから構成される通信システムにおける初期通信環境のカストマイズプログラムであって、
前記仲介装置を、
前記通信装置が接続されると、初期通信環境に関するデータを生成する際に必要となる所定の情報を記憶した情報記憶手段に基づいて該通信装置の初期通信環境に関するデータを生成するカストマイズ手段
として機能させる初期通信環境のカストマイズプログラムを記憶したコンピュータ読み取り可能な記憶媒体。
【請求項７】
前記仲介装置を、
前記通信装置が接続されると、該通信装置とシステム情報の授受を行う仲介装置会話手段と、
前記仲介装置会話手段で授受を行ったシステム情報に基づき前記情報記憶手段から所定の情報を検索して抽出する検索手段として機能させ、
前記カストマイズ手段は、
前記検索手段で抽出した所定の情報に基づき前記通信装置の初期通信環境に関するデータを生成することを特徴とする請求項６記載の初期通信環境のカストマイズプログラムを記憶したコンピュータ読み取り可能な記憶媒体。
【請求項８】
前記カストマイズ手段は、
前記通信端末での、初期通信環境をカストマイズするための特定のボタンの利用者の押下に基づいて該通信装置が接続されると、初期通信環境に関するデータを生成する際に必要となる所定の情報を記憶した情報記憶手段に基づいて該通信装置の初期通信環境に関するデータを生成することを特徴とする請求項６記載の初期通信環境のカストマイズプログラムを記憶したコンピュータ読み取り可能な記憶媒体。
【請求項９】
通信装置とインターネットを介したデータ通信を行う仲介装置であって、
初期通信環境に関するデータを生成する際に必要となる所定の情報を記憶する情報記憶手段と、
前記通信装置が接続されると、前記情報記憶手段に記憶した所定の情報に基づいて該通信装置の初期通信環境に関するデータを生成するカストマイズ手段と
を備えることを特徴とする仲介装置。
【請求項１０】
前記通信装置が接続されると、該通信装置とシステム情報の授受を行う仲介装置会話手段と、
前記情報記憶手段から前記仲介装置会話手段で授受を行ったシステム情報に基づき所定の情報を検索して抽出する検索手段とを更に備え、
前記カストマイズ手段は、
前記検索手段で抽出した所定の情報に基づき前記通信装置の初期通信環境に関するデータを生成することを特徴とする請求項９記載の仲介装置。
【請求項１１】
前記カストマイズ手段は、
前記通信端末での、初期通信環境をカストマイズするための特定のボタンの利用者の押下に基づいて該通信装置が接続されると、前記情報記憶手段に記憶した所定の情報に基づいて該通信装置の初期通信環境に関するデータを生成することを特徴とする請求項９記載の仲介装置。
【請求項１２】
通信装置と、該通信装置とインターネットを介したデータ通信を行う仲介装置とから構成される通信システムであって、
前記仲介装置は、
初期通信環境に関するデータを生成する際に必要となる所定の情報を記憶する情報記憶手段と、
前記通信装置が接続されると、前記情報記憶手段に記憶した所定の情報に基づいて該通信装置の初期通信環境に関するデータを生成するカストマイズ手段とを備え、
前記通信装置は、
前記仲介装置に接続し、該仲介装置の前記カストマイズ手段で生成した初期通信環境に関するデータをダウンロードする通信装置ダウンロード手段と、
前記通信装置ダウンロード手段でダウンロードした初期設定環境に関するデータを通信装置内に自動的に設定するデータ設定手段と
を備えることを特徴とする通信システム。
【手続補正２】
【補正対象書類名】明細書
【補正対象項目名】０００６
【補正方法】変更
【補正の内容】
【０００６】
【課題を解決するための手段】
そこで、上記課題を解決するため、本発明の通信システムは、インターネットによるデータ通信を行う仲介装置と、ダイヤルアップ接続により仲介装置と接続する通信装置から構成される通信システムにおいて、通信装置の利用者が初期通信環境をカストマイズするための特定のボタンを押下することにより、仲介装置にて管理されている所定の情報に基づいて、初期通信環境に関するデータを生成するカストマイズ手段（後述する実施例のカストマイズ部２６、カストマイズ部６６、カストマイズ部１１３に相当）と、該カストマイズ手段にて生成された初期通信環境に関するデータを通信装置内に自動的に設定するデータ設定手段（後述する実施例の適用部１４、適用部５４、適用部１０７に相当）とを有する構成とする。


【手続補正３】
【補正対象書類名】明細書
【補正対象項目名】０００７
【補正方法】変更
【補正の内容】
【０００７】
従って、本発明の通信システムによれば、通信装置としての計算機の初期通信環境を仲介装置内でカストマイズし、更に計算機内に自動的に設定することにより、専門知識を持たないユーザがインターネットによるデータ通信を簡単に利用できる。
また、本発明の通信システムの仲介装置は、初期通信環境に関するデータを生成する際に必要となる所定の情報を記憶する情報記憶手段（後述する実施例の情報データベース２５、情報データベース６５、情報データベース１１１に相当）と、該情報記憶手段にて記憶されている所定の情報を抽出する情報抽出手段（後述する実施例の抽出部２４、抽出部６４、抽出部１１２に相当）とを有する構成とする。


【手続補正４】
【補正対象書類名】明細書
【補正対象項目名】０００９
【補正方法】変更
【補正の内容】
【０００９】
また、本発明の通信システムの仲介装置及び通信装置は、前記仲介装置が、カストマイズ手段にて生成された初期通信環境に関するデータを通信装置に対して送信するデータ送信手段（後述する実施例のダウンロード部２８、ダウンロード部６８、ダウンロード部１１４に相当）を、前記通信装置が、仲介装置からの初期通信環境に関するデータを受信するデータ受信手段（後述する実施例のダウンロード部１３、ダウンロード部５３、ダウンロード部１０６に相当）を有する構成とする。


【手続補正５】
【補正対象書類名】明細書
【補正対象項目名】００１０
【補正方法】変更
【補正の内容】
【００１０】
従って、本発明の通信システムは、データ送信手段及びデータ受信手段を有することにより、仲介装置からの初期通信環境に関するデータを、通信装置に対してスムーズにダウンロードできる。
また、本発明の通信システムの仲介装置は、通信装置からのシステム情報に基づいて、前記所定の情報を検索する検索手段（後述する実施例の検索部２２、検索部６２、検索部１１０に相当）を有する構成とする。


【手続補正６】
【補正対象書類名】明細書
【補正対象項目名】００１１
【補正方法】変更
【補正の内容】
【００１１】
従って、本発明の通信システムは、検索手段を有することにより、初期通信環境に関するデータを生成するための情報が複数存在する場合に、最適な初期通信環境に関するデータを生成することができる。
また、本発明の通信システムの初期通信環境のカストマイズ方法は、インターネットによるデータ通信を行う仲介装置と、ダイヤルアップ接続により仲介装置と接続する通信装置から構成される通信システムの初期通信環境のカストマイズ方法において、通信装置の利用者が初期通信環境をカストマイズするための特定のボタンを押下することにより、仲介装置にて管理されている所定の情報に基づいて、初期通信環境に関するデータを生成するカストマイズステップ（後述する実施例のＳ１８に相当）と、該カストマイズステップにて生成された初期通信環境に関するデータを通信装置内に自動的に設定するデータ設定ステップ（後述する実施例のＳ２０に相当）とを有する方法とする。


【手続補正７】
【補正対象書類名】明細書
【補正対象項目名】００１２
【補正方法】変更
【補正の内容】
【００１２】
従って、本発明の通信システムの初期通信環境のカストマイズ方法によれば、通信装置としての計算機の初期通信環境を仲介装置内でカストマイズし、更に計算機内に自動的に設定できるため、専門知識を持たないユーザがインターネットによるデータ通信を簡単に利用できる。
また、本発明の通信装置は、ダイヤルアップ接続により仲介装置と接続する通信装置において、仲介装置からの初期通信環境に関するデータを受信するデータ受信手段（後述する実施例のダウンロード部１３、ダウンロード部５３、ダウンロード部１０６に相当）と、該データ受信手段にて受信した初期通信環境に関するデータを通信装置内に自動的に設定するデータ設定手段（後述する実施例の適用部１４、適用部５４、適用部１０７に相当）を有する構成とする。


【手続補正８】
【補正対象書類名】明細書
【補正対象項目名】００１３
【補正方法】変更
【補正の内容】
【００１３】
従って、本発明の通信装置によれば、仲介装置からの初期通信環境に関するデータを受信することにより、通信装置としての計算機の初期通信環境を計算機内で自動的に設定できるため、専門知識を持たないユーザがインターネットによるデータ通信を簡単に利用できる。
また、本発明の仲介装置は、通信装置からのダイヤルアップ接続によりインターネットによるデータ通信を行う仲介装置において、通信装置の利用者が初期通信環境をカストマイズするための特定のボタンを押下することにより、仲介装置にて管理されている所定の情報に基づいて、初期通信環境に関するデータを生成するカストマイズ手段（後述する実施例のカストマイズ部２６、カストマイズ部６６、カストマイズ部１１３に相当）と、該カストマイズ手段にて生成された初期通信環境に関するデータを通信装置に対して送信するデータ送信手段（後述する実施例のダウンロード部２８、ダウンロード部６８、ダウンロード部１１４に相当）とを有する構成とする。


【手続補正９】
【補正対象書類名】明細書
【補正対象項目名】００１４
【補正方法】変更
【補正の内容】
【００１４】
従って、本発明の仲介装置によれば、カストマイズ手段にて生成した初期通信環境に関するデータを通信装置に対して送信でき、更に通信装置としての計算機の初期通信環境を計算機内で自動的に設定できるため、専門知識を持たないユーザがインターネットによるデータ通信を簡単に利用できる。
また、本発明の仲介装置は、初期通信環境に関するデータを生成する際に必要となる所定の情報を記憶する情報記憶手段（後述する実施例の情報データベース２５、情報データベース６５、情報データベース１１１に相当）と、該情報記憶手段にて記憶されている所定の情報を抽出する情報抽出手段（後述する実施例の抽出部２４、抽出部６４、抽出部１１２に相当）とを有する構成とする。


【手続補正１０】
【補正対象書類名】明細書
【補正対象項目名】００１６
【補正方法】変更
【補正の内容】
【００１６】
また、本発明の仲介装置は、通信装置からのシステム情報に基づいて、前記所定の情報を検索する検索手段（後述する実施例の検索部２２、検索部６２、検索部１１０に相当）を有する構成とする。
従って、本発明の仲介装置は、検索手段を有することにより、初期通信環境に関するデータを生成するための情報が複数存在する場合に、最適な初期通信環境に関するデータを生成することができる。


【手続補正１１】
【補正対象書類名】明細書
【補正対象項目名】００１７
【補正方法】変更
【補正の内容】
【００１７】
また、ダイヤルアップ接続により仲介装置と接続する処理をコンピュータに行わせるためのプログラムにおいて、本発明の記憶媒体に記憶されたプログラムは、仲介装置からの初期通信環境に関するデータを受信させるデータ受信ステップ（後述する実施例のＳ４、Ｓ１９に相当）と、データ受信ステップにて受信した初期通信環境に関するデータを通信装置内に自動的に設定させるデータ設定ステップ（後述する実施例のＳ２０に相当）とを有するプログラムとする。


【手続補正１２】
【補正対象書類名】明細書
【補正対象項目名】００１８
【補正方法】変更
【補正の内容】
【００１８】
従って、本発明の記憶媒体に記憶されたプログラムによれば、仲介装置からの初期通信環境に関するデータを受信することにより、通信装置としての計算機の初期通信環境を計算機内で自動的に設定できるため、専門知識を持たないユーザがインターネットによるデータ通信を簡単に利用できる。
また、通信装置からのダイヤルアップ接続によりインターネットによるデータ通信を行わせるためのプログラムにおいて、本発明の記憶媒体に記憶されたプログラムは、情報記憶手段にて記憶されている所定の情報を抽出させる情報抽出ステップ（後述する実施例のＳ１７に相当）と、通信装置の利用者が初期通信環境をカストマイズするための特定のボタンを押下することにより、所定の情報に基づいて、初期通信環境に関するデータを生成させるカストマイズステップ（後述する実施例のＳ１８に相当）と、該カストマイズステップにて生成された初期通信環境に関するデータを通信装置に対して送信させるデータ送信ステップ（後述する実施例のＳ４、Ｓ１９に相当）とを有するプログラムとする。


【手続補正１３】
【補正対象書類名】明細書
【補正対象項目名】００２１
【補正方法】変更
【補正の内容】
【００２１】
また、上記のプログラムにおいて、本発明の記憶媒体に記憶されたプログラムは、通信装置からのシステム情報に基づいて、前記所定の情報を検索させる検索ステップ（後述する実施例のＳ１６に相当）を有するプログラムとする。
従って、本発明の記憶媒体に記憶されたプログラムによれば、検索ステップを有することにより、初期通信環境に関するデータを生成させるための情報が複数存在する場合に、最適な初期通信環境に関するデータを生成させることができる。